(57)【要約】【課題】認証を安全確実かつ低コストで行えること。【解決手段】生体読み取り装置が読み取った生体データを受信する手段と、  画像読み取り装置が読み取った公的証明書の画像データを受信する手段と、  公的証明書の画像データに電子透かしとして埋め込められている生体データを読み出し、読み出した生体データと、受信した生体データとを照合して認証を行い、表示装置に認証結果を送信して表示させる手段とを有することを特徴とする生体電子透かし認証装置。【選択図】図３
2014219903.tif 000002
【特許請求の範囲】
【請求項１】
生体読み取り装置が読み取った生体データを受信する手段と、
画像保存装置に保存されている公的証明書の画像データを受信する手段と、
公的証明書の画像データに、生体データを、電子透かしとして埋め込み印刷装置に送信して印刷させて公的証明書を発行させる手段とを有することを特徴とする生体電子透かし埋め込み装置。
【請求項２】
生体読み取り装置が読み取った生体データを受信する手段と、
画像読み取り装置が読み取った公的証明書の画像データを受信する手段と、
公的証明書の画像データに電子透かしとして埋め込められている生体データを読み出し、読み出した生体データと、受信した生体データとを照合して認証を行い、表示装置に認証結果を送信して表示させる手段とを有することを特徴とする生体電子透かし認証装置。
【請求項３】
請求項１記載の生体電子透かし埋め込み装置と、請求項２記載の生体電子透かし認証装置とを備える認証システム。
【請求項４】
生体読み取り装置が読み取った生体データを受信する工程と、
画像保存装置に保存されている公的証明書の画像データを受信する工程と、
公的証明書の画像データに、生体データを、電子透かしとして埋め込み印刷装置に送信して印刷させて公的証明書を発行させる工程とを含むことを特徴とする生体電子透かし埋め込み方法。
【請求項５】
生体読み取り装置が読み取った生体データを受信する工程と、
画像読み取り装置が読み取った公的証明書の画像データを受信する工程と、
公的証明書の画像データに電子透かしとして埋め込められている生体データを読み出し、読み出した生体データと、受信した生体データとを照合して認証を行い、表示装置に認証結果を送信して表示させる工程とを含むことを特徴とする生体電子透かし認証方法。
【請求項６】
請求項４記載の生体電子透かし埋め込み方法と、請求項５記載の生体電子透かし認証方法とを含む認証方法。
【請求項７】
生体読み取り装置が読み取った生体データを受信する工程と、
画像保存装置に保存されている公的証明書の画像データを受信する工程と、
公的証明書の画像データに、生体データを、電子透かしとして埋め込み印刷装置に送信して印刷させて公的証明書を発行させる工程とをＣＰＵに実行させることを特徴とする生体電子透かし埋め込みアプリケーションプログラム。
【請求項８】
生体読み取り装置が読み取った生体データを受信する工程と、
画像読み取り装置が読み取った公的証明書の画像データを受信する工程と、
公的証明書の画像データに電子透かしとして埋め込められている生体データを読み出し、読み出した生体データと、受信した生体データとを照合して認証を行い、表示装置に認証結果を送信して表示させる工程とをＣＰＵに実行させることを特徴とする生体電子透かし認証アプリケーションプログラム。
【発明の詳細な説明】
【技術分野】
【０００１】
本発明は、生体電子透かし埋め込み装置、生体電子透かし認証装置、認証システム、生体電子透かし埋め込み方法、生体電子透かし認証方法、生体電子透かし埋め込みアプリケーションプログラム、及び生体電子透かし認証アプリケーションプログラムに関する。
【背景技術】
【０００２】
従来、電子透かしを埋め込まれたデータを印刷した場合にも、印刷物から検出可能な電子透かしが知られている（例えば特許文献１又は２参照）。
【０００３】
また従来、タブレットにペンで署名して得られる署名データと、予め記憶してある署名データとを用いて署名者が本人であるか否かを認証する認証システムが知られている（例えば特許文献３参照）。
【０００４】
ところで、従来、ネットワーク上のデータベースに電子透かし情報として保管された個人情報及び生体情報と、印影画像データに電子透かし情報として埋め込まれている個人情報及び生体情報とを照合して本人認証を行う印影管理方法が知られている（例えば特許文献４参照）。
【０００５】
しかしながら、このような印影管理方法では、ネットワーク上のデータベースに電子透かし情報として個人情報及び生体情報を保管しなければならない。そのため、ネットワークやデータベースにトラブルが発生した場合に、登録、認証ができない。また、ネットワークインフラ構築やデータベース設置等のコストが発生する。
【０００６】
また、このような印影管理方法では、ネットワークのデータベース上に電子透かし情報として保管された個人情報及び生体情報が悪意のある者によって盗難、改ざんされる恐れがある。
【先行技術文献】
【特許文献】
【０００７】
【特許文献１】特許第３７８７０５９号公報
【特許文献２】特許第３８０００７０号公報
【特許文献３】特許第３５６２５７７号公報
【特許文献４】特開２０１０−１３４８７０号公報
【発明の概要】
【発明が解決しようとする課題】
【０００８】
本発明は、このような事情を考慮してなされたもので、認証を安全確実かつ低コストで行えることを課題とする。
【課題を解決するための手段】
【０００９】
本発明において上記課題を解決するために、まず請求項１の発明では、
生体読み取り装置が読み取った生体データを受信する手段と、
画像保存装置に保存されている公的証明書の画像データを受信する手段と、
公的証明書の画像データに、生体データを、電子透かしとして埋め込み印刷装置に送信して印刷させて公的証明書を発行させる手段とを有することを特徴とする生体電子透かし埋め込み装置としたものである。
【００１０】
また請求項２の発明では、
生体読み取り装置が読み取った生体データを受信する手段と、
画像読み取り装置が読み取った公的証明書の画像データを受信する手段と、
公的証明書の画像データに電子透かしとして埋め込められている生体データを読み出し、読み出した生体データと、受信した生体データとを照合して認証を行い、表示装置に認証結果を送信して表示させる手段とを有することを特徴とする生体電子透かし認証装置としたものである。
【００１１】
また請求項３の発明では、請求項１記載の生体電子透かし埋め込み装置と、請求項２記載の生体電子透かし認証装置とを備える認証システムとしたものである。
【００１２】
また請求項４の発明では、
生体読み取り装置が読み取った生体データを受信する工程と、
画像保存装置に保存されている公的証明書の画像データを受信する工程と、
公的証明書の画像データに、生体データを、電子透かしとして埋め込み印刷装置に送信して印刷させて公的証明書を発行させる工程とを含むことを特徴とする生体電子透かし埋め込み方法としたものである。
【００１３】
また請求項５に係る発明は、
生体読み取り装置が読み取った生体データを受信する工程と、
画像読み取り装置が読み取った公的証明書の画像データを受信する工程と、
公的証明書の画像データに電子透かしとして埋め込められている生体データを読み出し、読み出した生体データと、受信した生体データとを照合して認証を行い、表示装置に認証結果を送信して表示させる工程とを含むことを特徴とする生体電子透かし認証方法としたものである。
【００１４】
また請求項６に係る発明では、
請求項４記載の生体電子透かし埋め込み方法と、請求項５記載の生体電子透かし認証方法とを含む認証方法としたものである。
【００１５】
また請求項７に係る発明では、
生体読み取り装置が読み取った生体データを受信する工程と、
画像保存装置に保存されている公的証明書の画像データを受信する工程と、
公的証明書の画像データに、生体データを、電子透かしとして埋め込み印刷装置に送信して印刷させて公的証明書を発行させる工程とをＣＰＵに実行させることを特徴とする生体電子透かし埋め込みアプリケーションプログラムとしたものである。
【００１６】
また請求項８に係る発明では、
生体読み取り装置が読み取った生体データを受信する工程と、
画像読み取り装置が読み取った公的証明書の画像データを受信する工程と、
公的証明書の画像データに電子透かしとして埋め込められている生体データを読み出し、読み出した生体データと、受信した生体データとを照合して認証を行い、表示装置に認証結果を送信して表示させる工程とをＣＰＵに実行させることを特徴とする生体電子透かし認証アプリケーションプログラムとしたものである。
【発明の効果】
【００１７】
本発明は、公的証明書の画像データに、生体データを、電子透かしとして埋め込み公的証明書を発行させるので、公的証明書から生体データを読み出す方法が知られない限り、或いは、専用の装置又はアプリケーションプログラムを用いない限り、公的証明書から生体データを読み出せず、生体データが盗難され改ざんされる恐れがない。
【００１８】
また本発明は、公的証明書の画像データに電子透かしとして埋め込められている生体データを読み出し、読み出した生体データと、受信した生体データとを照合して認証を行うので、公的証明書の所持者の認証を確実に低コストで行える。
【００１９】
従って、本発明は、認証を安全確実かつ低コストで行えるという効果がある。
【図面の簡単な説明】
【００２０】
【図１】本発明の生体電子透かし埋め込み装置の構成例を示すブロック図。
【図２】本発明の生体電子透かし埋め込み装置による生体電子透かし埋め込み処理の流れの例を示すフローチャート。
【図３】本発明の分離型の生体電子透かし認証装置の構成例を示すブロック図。
【図４】本発明の分離型の生体電子透かし認証装置による生体電子透かし認証処理の流れの例を示すフローチャート。
【図５】本発明の一体型の生体電子透かし認証装置の構成例を示すブロック図。
【図６】本発明の一体型の生体電子透かし認証装置による生体電子透かし認証処理の流れの例を示すフローチャート。
【発明を実施するための形態】
【００２１】
以下に、本発明の一実施形態を説明する。
【００２２】
本発明の認証システムは、生体電子透かし埋め込み装置と、生体電子透かし認証装置とを備える。
【００２３】
生体電子透かし埋め込み装置、又は、生体電子透かし認証装置のいずれか一方、或いは、双方は、スマートフォン等の携帯端末、又は、パソコン等のコンピュータを用いるものでも良い。
【００２４】
生体電子透かし認証装置は、表示装置、生体読み取り装置、画像読み取り装置が分離している分離型の生体電子透かし認証装置でも良く、表示装置、生体読み取り装置、画像読み取り装置と一体となっている一体型の生体電子透かし認証装置でも良い。
【００２５】
まず、本発明の生体電子透かし埋め込み装置を説明する。
【００２６】
本発明の生体電子透かし埋め込み装置は、図１に示すように、ＣＰＵと、ＲＡＭと、記憶装置と、入力Ｉ／Ｆと、表示Ｉ／Ｆと、印刷Ｉ／Ｆとを備え、これらＣＰＵと、ＲＡＭと、記憶装置と、入力Ｉ／Ｆと、表示Ｉ／Ｆと、印刷Ｉ／Ｆとがバスで接続され、入力Ｉ
／Ｆには、入力装置として、生体読み取り装置と画像保存装置とが接続され、表示Ｉ／Ｆには、表示装置が接続され、印刷Ｉ／Ｆには、印刷装置が接続され、記憶装置には、生体電子透かし埋め込みアプリが記憶されているものである。
【００２７】
ＣＰＵは、ＲＡＭにロードされたプログラムに従って処理を行う中央処理装置である。
【００２８】
ＲＡＭは、ＣＰＵが処理を行うに際してデータを一時的に記憶する装置である。
【００２９】
記憶装置は、データを永続的に記憶する装置である。
【００３０】
入力Ｉ／Ｆは、入力装置との間でデータの送受信を行うためのインターフェースである。
【００３１】
表示Ｉ／Ｆは、表示装置との間でデータの送受信を行うためのインターフェースである。
【００３２】
印刷Ｉ／Ｆは、印刷装置との間でデータの送受信を行うためのインターフェースである。
【００３３】
生体読み取り装置は、生体から、この生体を識別する生体データを読み取る装置である。
【００３４】
生体読み取り装置としては、例えば、電子ペンとタブレットとを備え、生体データとして、電子ペンでタブレットに署名等をしたときの筆跡データを読み取るものであって、筆跡データとしては、例えば、書き順、形状、筆圧、スピード、Ｚ軸上の動き等からなるものでも良い。
【００３５】
また生体読み取り装置としては、例えば、生体データとして、指紋データを読み取る指紋センサーであって、指紋データとしては、例えば、模様、切れ目、割れ目、凹凸等からなるものでも良い。
【００３６】
また生体読み取り装置としては、例えば、デジタルカメラであって、顔写真の画像データを生体データとするものであっても良い。
【００３７】
画像保存装置は、生体データを電子透かしとして埋め込む公的証明書の画像データを保存する装置である。公的証明書としては、例えば、住民票、運転免許証、パスポート等が挙げられる。生体データを電子透かしとして埋め込む公的証明書の画像データとしては、例えば、背景パターン、地紋、顔写真等のデータが挙げられる。
【００３８】
表示装置は、データを表示する装置である。
【００３９】
印刷装置は、データを印刷する装置である。
【００４０】
生体電子透かし埋め込みアプリは、ＲＡＭにロードされて、ＣＰＵに生体電子透かし埋め込み処理を実行させるアプリケーションプログラムであって、生体データ受信手段と、画像データ受信手段と、生体電子透かし埋め込み手段とを有する。
【００４１】
ここで、生体データ受信手段は、生体電子透かし埋め込み処理の内、生体読み取り装置から、この生体読み取り装置が読み取った生体データを、入力Ｉ／Ｆを介して受信してＲＡＭに記憶する処理をＣＰＵに実行させるものである。
【００４２】
また、画像データ受信手段は、生体電子透かし埋め込み処理の内、画像保存装置から、この画像保存装置に保存されている公的証明書の画像データを、入力Ｉ／Ｆを介して受信してＲＡＭに記憶する処理をＣＰＵに実行させるものである。
【００４３】
また、生体電子透かし埋め込み手段は、生体電子透かし埋め込み処理の内、ＲＡＭに記憶している公的証明書の画像データに、ＲＡＭに記憶している生体データを、電子透かしとして埋め込み、生体データを電子透かしとして埋め込んだ公的証明書の画像データ（以後、生体電子透かし画像データとも云う）を、印刷Ｉ／Ｆを介して印刷装置に送信して印刷させて公的証明書を発行させる処理をＣＰＵに実行させるものである。
【００４４】
以下、本発明の生体電子透かし埋め込み装置による生体電子透かし埋め込み処理の流れの例を、図２に示すフローチャートに従って説明する。
【００４５】
Ｓ（ＳＴＥＰ）１；
生体読み取り装置は、認証対象者から生体データを読み取る。
【００４６】
Ｓ（ＳＴＥＰ）２；
生体読み取り装置は、生体データを生体電子透かし埋め込み装置に送信する。
【００４７】
Ｓ（ＳＴＥＰ）３；
生体電子透かし埋め込み装置のＣＰＵは、生体読み取り装置から、入力Ｉ／Ｆを介して、生体データを受信してＲＡＭに記憶する。
【００４８】
Ｓ（ＳＴＥＰ）４；
画像保存装置は、この画像保存装置が保存している公的証明書の画像データを生体電子透かし埋め込み装置に送信する。
【００４９】
Ｓ（ＳＴＥＰ）５；
生体電子透かし埋め込み装置のＣＰＵは、画像保存装置から、入力Ｉ／Ｆを介して、公的証明書の画像データを受信してＲＡＭに記憶する。
【００５０】
Ｓ（ＳＴＥＰ）６；
生体電子透かし埋め込み装置のＣＰＵは、ＲＡＭに記憶している公的証明書の画像データに、ＲＡＭに記憶している生体データを、電子透かしとして埋め込んだ生体電子透かし画像データを生成して、ＲＡＭに記憶する。
【００５１】
Ｓ（ＳＴＥＰ）７；
生体電子透かし埋め込み装置のＣＰＵは、ＲＡＭに記憶している生体電子透かし画像データを、印刷Ｉ／Ｆを介して、印刷装置に送信する。
【００５２】
Ｓ（ＳＴＥＰ）８；
印刷装置は、生体電子透かし埋め込み装置から、生体電子透かし画像データを受信する。
【００５３】
Ｓ（ＳＴＥＰ）９；
印刷装置は、生体電子透かし画像データを印刷して公的証明書を発行する。
【００５４】
尚、この公的証明書は、認証対象者に渡される。
【００５５】
次に、本発明の分離型の生体電子透かし認証装置を説明する。
【００５６】
本発明の分離型の生体電子透かし認証装置は、図３に示すように、ＣＰＵと、ＲＡＭと、記憶装置と、入力Ｉ／Ｆと、表示Ｉ／Ｆとを備え、これらＣＰＵと、ＲＡＭと、記憶装置と、入力Ｉ／Ｆと、表示Ｉ／Ｆとがバスで接続され、入力Ｉ／Ｆには、入力装置として、生体読み取り装置と画像読み取り装置とが接続され、表示Ｉ／Ｆには、表示装置が接続され、記憶装置には、生体電子透かし認証アプリが記憶されているものである。
【００５７】
ＣＰＵ、ＲＡＭ、記憶装置、入力Ｉ／Ｆ、表示Ｉ／Ｆ、表示装置については、生体電子透かし埋め込み装置の説明で記述したものと同じものである。
【００５８】
生体読み取り装置は、生体電子透かし埋め込み装置に接続されているものと同じタイプのものが接続される。例えば、生体電子透かし埋め込み装置に、電子ペンとタブレットとを備え筆跡データを読み取るものが接続されている場合、分離型の生体電子透かし認証装置にも、電子ペンとタブレットとを備え筆跡データを読み取るものが接続される。また例えば、生体電子透かし埋め込み装置に指紋センサーが接続されている場合、分離型の生体電子透かし認証装置にも指紋センサーが接続される。また例えば、生体電子透かし埋め込み装置にデジタルカメラが接続されている場合、分離型の生体電子透かし認証装置にもデジタルカメラが接続される。
【００５９】
画像読み取り装置は、公的証明書から、この公的証明書の画像データを読み取る装置である。
【００６０】
生体電子透かし認証アプリは、ＲＡＭにロードされて、ＣＰＵに生体電子透かし認証処理を実行させるアプリケーションプログラムであって、生体データ受信手段と、画像データ受信手段と、生体電子透かし認証手段とを有する。
【００６１】
生体データ受信手段は、生体電子透かし認証処理の内、生体読み取り装置から、この生体読み取り装置が読み取った生体データを、入力Ｉ／Ｆを介して受信してＲＡＭに記憶する処理をＣＰＵに実行させるものである。
【００６２】
画像データ受信手段は、生体電子透かし認証処理の内、画像読み取り装置から、この画像読み取り装置が読み取った公的証明書の画像データを、入力Ｉ／Ｆを介して受信してＲＡＭに記憶する処理をＣＰＵに実行させるものである。
【００６３】
生体電子透かし認証手段は、生体電子透かし認証処理の内、ＲＡＭに記憶している公的証明書の画像データから、この公的証明書の画像データに電子透かしとして埋め込められている生体データを読み出し、読み出した生体データと、ＲＡＭに記憶している生体データとを照合して認証を行い、認証結果を、表示Ｉ／Ｆを介して表示装置に送信して表示させる処理をＣＰＵに実行させるものである。
【００６４】
以下に、本発明の分離型の生体電子透かし認証装置による生体電子透かし認証処理の流れの例を、図４に示すフローチャートに従って説明する。
【００６５】
Ｓ（ＳＴＥＰ）１；
生体読み取り装置は、認証対象者から生体データを読み取る。
【００６６】
Ｓ（ＳＴＥＰ）２；
生体読み取り装置は、生体データを分離型の生体電子透かし認証装置に送信する。
【００６７】
Ｓ（ＳＴＥＰ）３；
分離型の生体電子透かし認証装置のＣＰＵは、生体読み取り装置から、入力Ｉ／Ｆを介して、生体データを受信してＲＡＭに記憶する。
【００６８】
Ｓ（ＳＴＥＰ）４；
画像読み取り装置は、認証対象者が所持する公的証明書から、この公的証明書の画像データを読み取る。
【００６９】
Ｓ（ＳＴＥＰ）５；
画像読み取り装置は、公的証明書の画像データを分離型の生体電子透かし装置に送信する。
【００７０】
Ｓ（ＳＴＥＰ）６；
分離型の生体電子透かし認証装置のＣＰＵは、公的証明書の画像データを、入力Ｉ／Ｆを介して受信してＲＡＭに記憶する。
【００７１】
Ｓ（ＳＴＥＰ）７；
分離型の生体電子透かし認証装置のＣＰＵは、ＲＡＭに記憶している公的証明書の画像データから、この公的証明書の画像データに電子透かしとして埋め込められている生体データを読み出す。
【００７２】
Ｓ（ＳＴＥＰ）８；
分離型の生体電子透かし認証装置のＣＰＵは、読み出した生体データと、ＲＡＭに記憶している生体データとを照合して認証を行う。
【００７３】
Ｓ（ＳＴＥＰ）９；
分離型の生体電子透かし認証装置のＣＰＵは、認証結果を、表示Ｉ／Ｆを介して表示装置に送信する。
【００７４】
Ｓ（ＳＴＥＰ）１０；
表示装置は、分離型の生体電子透かし認証装置から、認証結果を受信する。
【００７５】
Ｓ（ＳＴＥＰ）１１；
表示装置は、認証結果を表示する。
【００７６】
次に、本発明の一体型の生体電子透かし認証装置を説明する。
【００７７】
本発明の一体型の生体電子透かし認証装置は、図５に示すように、ＣＰＵと、ＲＡＭと、記憶装置と、生体読み取り装置と、画像読み取り装置と、表示装置とを備え、これらＣＰＵと、ＲＡＭと、記憶装置と、生体読み取り装置と、画像読み取り装置と、表示装置とがバスで接続され、記憶装置には、生体電子透かし認証アプリが記憶されているものである。
【００７８】
ＣＰＵ、ＲＡＭ、記憶装置、画像読み取り装置、表示装置については、分離型の生体電子透かし認証装置の説明で記述したものと同じものである。
【００７９】
生体読み取り装置は、生体電子透かし埋め込み装置に接続されているものと同じタイプのものを備える。例えば、生体電子透かし埋め込み装置に、電子ペンとタブレットとを備え筆跡データを読み取るものが接続されている場合、一体型の生体電子透かし認証装置も、電子ペンとタブレットとを備え筆跡データを読み取るものを備える。また例えば、生体電子透かし埋め込み装置に指紋センサーが接続されている場合、一体型の生体電子透かし認証装置も指紋センサーを備える。また例えば、生体電子透かし埋め込み装置にデジタルカメラが接続されている場合、一体型の生体電子透かし認証装置もデジタルカメラを備える。
【００８０】
生体電子透かし認証アプリは、ＲＡＭにロードされて、ＣＰＵに生体電子透かし認証処理を実行させるアプリケーションプログラムであって、生体データ受信手段と、画像データ受信手段と、生体電子透かし認証手段とを有する。
【００８１】
生体データ受信手段は、生体電子透かし認証処理の内、生体読み取り装置から、この生体読み取り装置が読み取った生体データを受信してＲＡＭに記憶する処理をＣＰＵに実行させるものである。
【００８２】
画像データ受信手段は、生体電子透かし認証処理の内、画像読み取り装置から、この画像読み取り装置が読み取った公的証明書の画像データを受信してＲＡＭに記憶する処理をＣＰＵに実行させるものである。
【００８３】
生体電子透かし認証手段は、生体電子透かし認証処理の内、ＲＡＭに記憶している公的証明書の画像データから、この公的証明書の画像データに電子透かしとして埋め込められている生体データを読み出し、読み出した生体データと、ＲＡＭに記憶している生体データとを照合して認証を行い、認証結果を表示装置に送信して表示させる処理をＣＰＵに実行させるものである。
【００８４】
以下に、本発明の一体型の生体電子透かし認証装置による生体電子透かし認証処理の流れの例を、図６に示すフローチャートに従って説明する。
【００８５】
Ｓ（ＳＴＥＰ）１；
一体型の生体電子透かし認証装置の生体読み取り装置は、認証対象者から生体データを読み取ってＣＰＵに送信し、ＣＰＵは、この生体データを受信してＲＡＭに記憶する。
【００８６】
Ｓ（ＳＴＥＰ）２；
一体型の生体電子透かし認証装置の画像読み取り装置は、認証対象者が所持する公的証明書から、この公的証明書の画像データを読み取ってＣＰＵに送信し、ＣＰＵは、この公的証明書の画像データをＲＡＭに記憶する。
【００８７】
Ｓ（ＳＴＥＰ）３；
一体型の生体電子透かし認証装置のＣＰＵは、ＲＡＭに記憶している公的証明書の画像データから、この公的証明書の画像データに電子透かしとして埋め込められている生体データを読み出す。
【００８８】
Ｓ（ＳＴＥＰ）４；
一体型の生体電子透かし認証装置のＣＰＵは、読み出した生体データと、ＲＡＭに記憶している生体データとを照合して認証を行う。
【００８９】
Ｓ（ＳＴＥＰ）５；
一体型の生体電子透かし認証装置のＣＰＵは、認証結果を表示装置に送信し、表示装置は、この認証結果を受信して表示する。
【図１】
2014219903.tif 000003
【図２】
2014219903.tif 000004
【図３】
2014219903.tif 000005
【図４】
2014219903.tif 000006
【図５】
2014219903.tif 000007
【図６】
2014219903.tif 000008